(57)【要約】      （修正有）【課題】前後両方から着用できる機能性靴を提供する。【解決手段】斜面１１を有し、高部１３、ストッパー１５を有する低部１２を構成する本体１０と、本体１０に設置され、脚部を固定し、少なくとも弾性部２１１，２２１を設置する固定装置２０と、からなる。ストッパー１５は止滑作用がある。本体１０は振動を生成する振動ユニットを設置し、振動ユニットの動作は、スイッチにより制御される。固定装置２０は、第一固定部２１、第二固定部２２を有し、第一固定部２１、第二固定部２２の一端は本体１０に組接され、第一固定部２１、第二固定部２２は対応する結合部を有し、第一固定部２１、第二固定部２２を組接することができる。上述の素子により、脚部は前向き、或いは、反対方向に履くことができ、且つ、弾性装置の弾性部の弾性により、脚部の厚さによって調整でき、脚部は固定装置２０により快適に固定され、ヒップアップや脚部の引き伸ばし効果を達成する。【選択図】図１
0003147632.tif 000002
【実用新案登録請求の範囲】
【請求項１】
両方から着用できる機能性靴であって、
斜面を有し、高部、ストッパーを有する低部を構成する本体と、
前記本体に設置され、脚部を固定し、少なくとも弾性部を設置する固定装置と、
からなり、
上述の素子により、脚部は前向き、或いは、反対方向に履くことができ、且つ、前記弾性装置の弾性部の弾性により、脚部の厚さによって調整でき、脚部は前記固定装置により快適に固定され、ヒップアップや脚部の引き伸ばし効果を達成することを特徴とする両方から着用できる機能性靴。
【請求項２】
前記本体下方に、止滑作用を有するストッパーを有することを特徴とする請求項１に記載の両方から着用できる機能性靴。
【請求項３】
前記本体は、振動を生成する振動ユニットを設置し、前記振動ユニットの動作は、スイッチにより制御されることを特徴とする請求項１に記載の両方から着用できる機能性靴。
【請求項４】
前記固定装置は、第一固定部、第二固定部を有し、前記第一固定部、前記第二固定部の一端は前記本体に組接され、前記第一固定部、前記第二固定部は対応する結合部を有し、前記第一固定部、前記第二固定部を組接することができることを特徴とする請求項１に記載の両方から着用できる機能性靴。
【請求項５】
前記第一、第二固定部の結合部は、マジックテープ（登録商標）などであることを特徴とする請求項４に記載の両方から着用できる機能性靴。
【請求項６】
前記固定装置は、帯体一端により前記本体に設置され、前記帯体は、結合を提供する結合部を有し、弾性部、環体は、相互に結合されると共に、前記本体両側に設置され、前記帯体一端が前記本体両側の環体を穿設すると共に、前記結合部が相互に結合することを特徴とする請求項１に記載の両方から着用できる機能性靴。
【考案の詳細な説明】
【技術分野】
【０００１】
本考案は、機能性靴に関するものであって、特に、使用者が必要に応じて、靴を前向き、或いは、後ろ向きに任意に履くことができ、快適な履き心地で、歩くこともでき、前向きに履くと、足、臀部の筋肉を伸ばし、後ろ向きに履くと、ヒップアップ、脊椎伸ばしの効果が得られる機能性靴に関するものである。
【背景技術】
【０００２】
足の裏は多くのつぼがあり、体の異なる器官の健康に関係している。よって、さまざまな健康靴が発明され、靴体は足のサイズより小さく、傾斜構造を有するので、この靴を履くと、異なる力点と支承により、一定の効果が得られるが、以下のような欠点がある。
【０００３】
中華民国（台湾）考案公告第M２８０１３６号において、着用者の脚部は反対方向に履くことができる（脚部後方が低部領域にある）だけで、前向きに履くことができないので、単一功能しかない。また、中華民国（台湾）考案公告第M３０７３１７号において、着用者は定点使用ができるだけで、構造上不安定で、歩く時、転倒する恐れがあり、歩くために、力む必要がある。中華民国（台湾）考案公告第M２６７８８１号で、着用者は、反対方向に履くことができるが、前向きに履くことができないので、単一功能しかない。また、中華民国（台湾）考案公告第M２６８９４４号において、着用者は定点使用ができるだけで、構造上不安定で、歩く時、転倒する恐れがあり、歩くために、力む必要がある。中華民国（台湾）考案公告第M３２７７３４号において、着用者の脚部は前方向に履くことができる（脚部後方が高部領域にある）だけで、反対向きに履くことができないので、単一功能しかない。
【考案の開示】
【考案が解決しようとする課題】
【０００４】
本考案の目的は、上述の問題を改善する機能性靴を提供することにある。
【課題を解決するための手段】
【０００５】
本考案の構造は、斜面を有し、高部、ストッパーを有する低部を構成する本体と、本体に設置され、脚部を固定し、少なくとも弾性部を設置する固定装置と、からなる。ストッパーは止滑作用がある。本体は振動を生成する振動ユニットを設置し、振動ユニットの動作は、スイッチにより制御される。固定装置は、第一固定部、第二固定部を有し、第一固定部、第二固定部の一端は本体に組接され、第一固定部、第二固定部は対応する結合部を有し、第一固定部、第二固定部を組接することができる。上述の素子により、脚部は前向き、或いは、反対方向に履くことができ、且つ、弾性装置の弾性部の弾性により、脚部の厚さによって調整でき、脚部は固定装置により快適に固定され、ヒップアップや脚部の引き伸ばし効果を達成する。
【考案の効果】
【０００６】
本考案の機能性靴は、使用者が必要に応じて、靴を前向き、或いは、後ろ向きに任意に履くことができ、快適な履き心地で、歩くこともでき、前向きに履くと、足、臀部の筋肉を伸ばし、後ろ向きに履くと、ヒップアップ、脊椎伸ばしの効果が得られる。
【考案を実施するための最良の形態】
【０００７】
図１〜図３を参照すると、本考案は、本体１０、及び、本体１０に設置される固定装置２０からなる。
【０００８】
本体１０は、脚より小さく、上方に斜面１１を有して、低部１２、高部１３を形成する。本体１０低部１２前縁は、ストッパー１４を設置する。本体１０下方は、粗雑紋様を有するゲル質ストッパー１５を設置し、使用時に、止滑作用を構成する。本体１０内は振動を生成する振動ユニット１６で、例えば、振動モーターで、振動ユニット１６の動作はスイッチ１６１により制御される。
【０００９】
固定装置２０は所定の撓性を有し、好ましい実施例では、本体１０中段に設置され、第一固定部２１、第二固定部２２を有し、第一固定部２１、第二固定部２２の一端は本体１０に組接され、組接端は、さらに、弾性部２１１、２２１を有し、第一固定部２１、第二固定部２２の脚部に対する固定力を調節する。第一固定部２１、第二固定部２２は対応する結合部２１２、２１２を有し、例えば、マジックテープ（登録商標）やその他の結合素子で、第一固定部２１、第二固定部２２が結合して調整でき、着用者の脚部を固定する。
【００１０】
図３を参照すると、脚部が前向きに本体１０を着用する時（脚部後方が高部１３に位置する）、固定装置２０により脚部を固定し、本体１０内の振動ユニット１６により、足裏マッサージの効果が得られる。
【００１１】
図４を参照すると、脚部が前向きに本体１０を着用する時（脚部後方が高部１３に位置する）、本体１０のストッパー１４が、脚部が前に滑るのを防止し、この時、脚や臀部の筋肉を伸ばす効果がある。
【００１２】
図５を参照すると、脚部が反対向きに本体１０を着用する時（脚部後方が低部１２に位置する）、本体１０の振動ユニット１６により、足裏マッサージの効果が得られ、更に、固定装置２０の弾性部２２１により、適当な角度θに調整し、固定装置２０の弾性部２２１の弾性が、脚部の厚さにより調整され、固定装置２０により脚部が快適に固定される。
【００１３】
図６を参照すると、脚部が反対向きに本体１０を着用する時（脚部後方が低部１２に位置する）、本体１０のストッパー１４が、脚部後方が後に滑るのを防止し、この時、筋肉を引き伸ばし、ヒップアップ、脊椎をまっすぐにする効果を達成する。
【００１４】
図７、図８は、本考案のもう一つの実施例を示す図で、固定装置３０は、帯体３１、二弾性素子３２、二環体３３を有し、帯体３１一端は本体１０に設置され、帯体３１上下面は、マジックテープ（登録商標）などの結合部３１１を有し、弾性素子３２、環体３３は、互いに結合されると共に、本体１０両側に設置される。弾性素子３２は弾性力を有し、角度を調整でき、帯体３１が脚部の厚さに応じて固定する。
【００１５】
使用時、帯体３１一端は、本体１０両側の環体３３を穿設し、結合部３１１を互いに結合して、脚部を固定し、この構造は、結合、分解、及び、調整が容易である。
【図面の簡単な説明】
【００１６】
【図１】本考案の固定装置の展開立体図である。
【図２】本考案の固定装置の未展開立体図である。
【図３】本考案の脚部が前向きに着用時の使用状態図(１)である。
【図４】本考案の脚部が前向きに着用時の使用状態図(２)である。
【図５】本考案の脚部が反対向きに着用時の使用状態図(１)である。
【図６】本考案の脚部が反対向きに着用時の使用状態図(２)である。
【図７】本考案のもう一つの実施例で、固定装置の帯体が開いた状態図である。
【図８】本考案のもう一つの実施例で、固定装置の帯体が結合した状態図である。
【符号の説明】
【００１７】
本体１０
斜面１１
低部１２
高部１３
ストッパー１４
ストッパー１５
振動ユニット１６
スイッチ１６１
固定装置２０
第一固定部２１
第二固定部２２
弾性部２１１、２２１
結合部２１２、２１２
帯体３１
弾性素子３２
環体３３
【図１】
0003147632.tif 000003
【図２】
0003147632.tif 000004
【図３】
0003147632.tif 000005
【図４】
0003147632.tif 000006
【図５】
0003147632.tif 000007
【図６】
0003147632.tif 000008
【図７】
0003147632.tif 000009
【図８】
0003147632.tif 000010
【手続補正書】
【提出日】平成20年10月29日(2008.10.29)
【手続補正１】
【補正対象書類名】実用新案登録請求の範囲
【補正対象項目名】請求項１
【補正方法】変更
【補正の内容】
【請求項１】
両方から着用できる機能性靴であって、
斜面を有し、高部、ストッパーを有する低部を構成する本体と、
前記本体に設置され、脚部を固定し、少なくとも弾性部を設置する固定装置と、
からなり、
上述の素子により、脚部は前向き、或いは、反対方向に履くことができ、且つ、前記弾性部の弾性により、脚部の厚さによって調整でき、脚部は前記固定装置により快適に固定され、ヒップアップや脚部の引き伸ばし効果を達成することを特徴とする両方から着用できる機能性靴。
【手続補正２】
【補正対象書類名】明細書
【補正対象項目名】０００５
【補正方法】変更
【補正の内容】
【０００５】
本考案の構造は、斜面を有し、高部、ストッパーを有する低部を構成する本体と、本体に設置され、脚部を固定し、少なくとも弾性部を設置する固定装置と、からなる。ストッパーは止滑作用がある。本体は振動を生成する振動ユニットを設置し、振動ユニットの動作は、スイッチにより制御される。固定装置は、第一固定部、第二固定部を有し、第一固定部、第二固定部の一端は本体に組接され、第一固定部、第二固定部は対応する結合部を有し、第一固定部、第二固定部を組接することができる。上述の素子により、脚部は前向き、或いは、反対方向に履くことができ、且つ、固定装置の弾性部の弾性により、脚部の厚さによって調整でき、脚部は固定装置により快適に固定され、ヒップアップや脚部の引き伸ばし効果を達成する。